(57)【特許請求の範囲】
【請求項１】
上端及び下端を有する胴部であって、断面楕円形状に形成され、上端から下端に向けて徐々に拡径して構成された胴部と、胴部の下端に連結するようにして該胴部の断面の短径方向に対向して配置された２つの脚部であって、所定の間隔を空けて配置された２つの脚部と、を有する本体と、
該本体に軸心方向を上下に沿わせた状態で支持される支持杆部、及び片足分の一方のブーツの中底を支持する靴受部であって、該支持杆部の上端に取り付けられ本体の上方に配置される靴受部を有する昇降部材と、を備え、
本体は、胴部の下端側に片足分の他方のブーツのつま先を配置するために、前記他方のブーツの先端を長径方向に沿って２つの脚部の間に挿入可能に構成され、
昇降部材は、支持杆部の軸心方向に移動可能に設けられ、
支持杆部は、本体の上端から胴部に対して出し入れされることで、胴部から引き出された状態と、胴部に収納された状態と、に切替可能に構成されていることを特徴とするブーツ収納用具。
【請求項２】
靴受部は、前記胴部の上端の形状に対応した形状であり、支持杆部が胴部に収納された状態で胴部の上端に当接するように構成されていることを特徴とする請求項１に記載のブーツ収納用具。
【請求項３】
本体に対して昇降部材の昇降を規制する位置決め機構をさらに備え、位置決め機構は、支持杆部に設けられ、支持杆部の軸心方向に沿って配置される係止部と、本体に設けられ、支持杆部の軸心方向に対して交差する方向に移動可能な係止爪とを有することを特徴とする請求項１又は２に記載のブーツ収納用具。
【請求項４】
靴受部は、薬剤を収納可能な収納部を有することを特徴とする請求項１乃至３のいずれか一項に記載のブーツ収納用具。
【発明の詳細な説明】
【技術分野】
【０００１】
本発明は、ブーツを収納するためのブーツ収納用具に関する。
【背景技術】
【０００２】
従来、ブーツは上下に長いブーツシャフトを備えているため、ブーツを保管する際に広範囲の領域を占有する。そこで、領域の省スペース化を図るためのブーツ収納用具が提供されている（例えば、特許文献１参照）。
【０００３】
この種のブーツ収納用具は、上端及び下端を有する本体であって、下端側にブーツのつま先を配置するために所定の間隔を空けて配置される２つの脚部を有する本体と、該本体の上端に連結される靴受部とを備える。この種のブーツ収納用具によれば、ブーツシャフトの長さに合った靴受部が本体の上端に連結される。そして、ブーツを収納するときに、片足分の一方のブーツのブーツシャフトに靴受部が差し込まれる。これにより、一方のブーツは、靴受部により支持される。片足分である他方のブーツは、２つの脚部の間につま先を配置することでブーツ収納用具に収納される。このように、一足のブーツが上下に置かれるので、横に並べて収納する場合に比べて省スペース化を図ることができる。
【先行技術文献】
【特許文献】
【０００４】
【特許文献１】実用新案登録第３１３２８０２号公報
【発明の概要】
【発明が解決しようとする課題】
【０００５】
ところで、ブーツシャフトの長さは、デザイン性の観点等からブーツによって異なっている。そこで、この種のブーツ収納用具でブーツシャフトの長さの異なるブーツを収納する場合、ブーツシャフトの長さに応じて異なる長さの靴受部を本体に取り付ける必要があった。したがって、異なる長さの複数の靴受部を保管するスペースが必要であった。
【０００６】
そこで、本発明は、かかる事情に鑑み、複数の部品を保管する必要のないブーツ収納用具を提供することを課題とする。
【課題を解決するための手段】
【０００７】
本発明に係るブーツ収納用具に関し、上端及び下端を有する胴部であって、断面楕円形状に形成され、上端から下端に向けて徐々に拡径して構成された胴部と、胴部の下端に連結するようにして該胴部の断面の短径方向に対向して配置された２つの脚部であって、所定の間隔を空けて配置された２つの脚部と、を有する本体と、該本体に軸心方向を上下に沿わせた状態で支持される支持杆部、及び片足分の一方のブーツの中底を支持する靴受部であって、該支持杆部の上端に取り付けられ本体の上方に配置される靴受部を有する昇降部材と、を備え、本体は、胴部の下端側に片足分の他方のブーツのつま先を配置するために、前記他方のブーツの先端を長径方向に沿って２つの脚部の間に挿入可能に構成され、
昇降部材は、支持杆部の軸心方向に移動可能に設けられ、支持杆部は、本体の上端から胴部に対して出し入れされることで、胴部から引き出された状態と、胴部に収納された状態と、に切替可能に構成されていることを特徴とする。
【０００８】
かかる構成によれば、ブーツ収納用具がブーツを収納するに際し、昇降部材は、ブーツシャフトの長さに合わせ、支持杆部の軸心方向に移動される。これにより、靴受部は、本体の上方で、支持杆部の軸心方向に移動され、ブーツシャフトの長さに応じた位置に配置可能になる。靴受部がブーツシャフトの長さに応じた位置に配置された上で、片方分の一方のブーツのブーツシャフトに支持杆部が差し込まれ、靴受部が片方分の一方のブーツの中底に当たることで、片方分の一方のブーツは靴受部に支持される。片方分の他方のブーツは、つま先を２つの脚部の間に配置されることでブーツ収納用具に収納される。これにより、一足のブーツのそれぞれが上下に置かれるので省スペース化を図ることができ、さらには、昇降部材を支持杆部の軸心方向に移動させるだけでブーツシャフトの位置に合わせて靴受部の位置を決めることができるので、複数の部品を保管する必要がない。
【０００９】
一方、ブーツ収納用具から一足のブーツが取り外された後は、支持杆部を移動することで靴受部を本体に接近させることができる。これにより、ブーツが取り外された後もブーツ収納用具の省スペース化を図ることができる。
【００１０】
また、本発明に係るブーツ収納用具の一態様として、靴受部は、前記胴部の上端の形状に対応した形状であり、支持杆部が胴部に収納された状態で胴部の上端に当接するように構成されていてもよい。
【００１２】
また、本発明に係るブーツ収納用具の他態様として、本体に対して昇降部材の昇降を規制する位置決め機構をさらに備え、位置決め機構は、支持杆部に設けられ、支持杆部の軸心方向に沿って配置される係止部と、本体に設けられ、支持杆部の軸心方向に対して交差する方向に移動可能な係止爪とを有してもよい。
【００１３】
かかる構成によれば、位置決め機構が昇降部材の昇降を規制するので、ブーツシャフトの位置に合わせて決められた靴受部の位置を維持することができる。これにより、靴受部は、昇降部材の移動によって決められた位置でブーツを支持することができる。また、ブーツを取り出した後には、靴受部を本体に接近させた状態で維持することができる。
また、かかる構成によれば、係止爪が支持杆部の軸心方向に対して離間する方向に移動することで、係止爪は係止部との係止から解除される。これにより、支持杆部は、軸心方向に沿って移動可能になる。一方、係止爪が係止部に接近する方向に移動して係止部を係止することで、支持杆部は、軸心方向に沿う移動を規制される。これにより、位置決め機構は、靴受部の移動を可能にするとともに、本体に対して決められた靴受部の位置を維持することができる。
【００１４】
また、本発明に係るブーツ収納用具の他態様として、靴受部は、薬剤を収納可能な収納部を有してもよい。
【００１５】
かかる構成によれば、収納部に薬剤が収納されていることから、靴受部がブーツを支持することで、ブーツ内の中底近傍に薬剤が存在することになる。これにより、ブーツ内に薬剤の効果を与えることができる。
【発明の効果】
【００１６】
以上の如く、本発明に係るブーツ収納用具によれば、複数の部品を保管する必要がないというすぐれた効果を奏する。
【図面の簡単な説明】
【００１７】
【図１】本発明の一実施形態に係るブーツ収納用具の概略斜視図であって、靴受部を下端に移動させた状態のブーツ収納用具を示す。
【図２】同実施形態に係るブーツ収納用具の概略斜視図であって、靴受部を移動させた状態のブーツ収納用具を示す。
【図３】同実施形態に係るブーツ収納用具の概略断面図を示す。
【図４】本発明の他実施形態に係るブーツ収納用具の概略斜視図であって、靴受部を下端に移動させた状態のブーツ収納用具を示す。
【図５】本発明の他実施形態に係るブーツ収納用具の概略斜視図であって、靴受部を移動させた状態のブーツ収納用具を示す。
【発明を実施するための形態】
【００１８】
以下、本発明に係るブーツ収納用具における一実施形態について、図１〜図３を参照して説明する。
【００１９】
図１及び図２に示すように、本実施形態に係るブーツ収納用具１に関し、上端及び下端を有する本体１０であって、下端側にブーツのつま先を配置するために所定の間隔を空けて配置される２つの脚部１２，１２を有する本体１０と、該本体１０に支持される支持杆部２１及び該支持杆部２１の上端に取り付けられ本体の上方に配置される靴受部２２を有する昇降部材２０であって、支持杆部２１の軸心方向に移動可能に設けられた昇降部材２０とを備える。また、本実施形態に係るブーツ収納用具１は、本体１０に対して昇降部材２０の昇降を規制する位置決め機構３０をさらに備える。
【００２０】
本体１０は、一方向（上下方向）に長手をなす胴部１１を有する。胴部１１は、支持杆部２１を収納可能な長さで構成されており、支持杆部２１を収納した状態において、上端で靴受部２２の下端に当接可能に構成されている。本実施形態において、胴部１１は、断面楕円形状に形成され、上端から下端に向けて徐々に拡径して構成されている。
【００２１】
２つの脚部１２，１２のそれぞれは、胴部１１の下端に連結されている。本実施形態において、２つの脚部１２，１２のそれぞれは、胴部１１の断面の短径方向に配置され、長径方向にブーツの先端を挿入可能に構成されている。また、２つの脚部１２，１２のそれぞれは、胴部１１の外周面と連続する外面（湾曲面）を有する。すなわち、２つの脚部１２，１２のそれぞれは、湾曲板状に形成される。本実施形態において、２つの脚部１２，１２のそれぞれは、下方に向かうにつれて拡大している。これにより、２つの脚部１２，１２のそれぞれの下端面は、安定した状態で設置可能な設置面を構成している。
【００２２】
支持杆部２１は、胴部１１に設けられるガイド部材（採番しない）によって軸心方向に移動可能にガイドされる。支持杆部２１は、軸心方向に移動することで、靴受部２２を胴部１１の上端に接離する方向に移動させることが可能になっている。
【００２３】
靴受部２２は、正面視楕円形状に構成され、支持杆部２１の上端（先端）に固定される。また、靴受部２２は、長径及び短径を、胴部１１の長径及び短径に合わせて支持杆部２１に固定される。これにより、支持杆部２１が胴部１１に収納されると、靴受部２２は、胴部１１の上端の形状に合った状態で胴部１１の上端に当接することが可能になっている。また、靴受部２２は、薬剤を収納可能な収納部２３を有する。
【００２４】
収納部２３は、靴受部２２を中空状にすることで形成されている。収納部２３は、靴受部２２の上面を開放することで露出され、薬剤を収納した後に靴受部２２の上面を閉じることで閉鎖される。そして、収納部２３は、靴受部２２の上面の孔（採番しない）を有することで、薬剤の効能をブーツ内に及ぼすことができる。なお、薬剤は、除湿材や消臭剤等であってよい。
【００２５】
位置決め機構３０は、支持杆部２１の軸心方向に沿って配置される係止部３１と、本体１０に設けられ、支持杆部２１の軸心方向に対して交差する方向に移動可能な係止爪３２とを有する。
【００２６】
係止部３１は、例えば、支持杆部２１の表面から突出する複数の突起３１１，・・・であり、複数の突起３１１，・・・のそれぞれは、支持杆部２１の軸心方向に沿って並設される。また、係止部３１は、係止爪３２に対向可能な位置に配置される。複数の突起３１１，・・・のそれぞれは、係止爪３２の嵌入を可能にする間隔を空けて配置される。
【００２７】
係止爪３２は、図３に示すように、胴部１１に回転可能に支持されている。係止爪３２は、係止爪３２を移動させるための操作ボタン３２１と、本体１０に枢支された回転支点部３２２であって、操作ボタン３２１に連設された回転支点部３２２と、回転支点部３２２に連設された爪部３２３であって、回転支点部３２２を回転支点にして回転可能な爪部３２３とを備える。また、位置決め機構３０は、常態において、係止爪３２（爪部３２３）を突起３１１，３１１間に向けて付勢する弾性体３２４を備える。本実施形態において、弾性体３２４は、板バネ状に形成されている。より具体的には、弾性体３２４は、片状に形成され、回転支点部３２２から延出して先端部を胴部１１に接触させている。これにより、弾性体３２４は、係止爪３２を付勢し、爪部３２３を突起３１１，３１１間に押し込むように作用する。なお、操作ボタン３２１、回転支点部３２２、爪部３２３、及び弾性体３２４は、樹脂成形品であり、本実施形態では、一体的に成形されている。
【００２８】
これにより、本実施形態に係る位置決め機構３０は、図１乃至図３に示すように、常態において、弾性体３２４による付勢により、係止爪３２の爪部３２３が突起３１１，３１１間に押し込まれ、爪部３２３が突起３１１に係止される（支持杆部２１の移動が規制される）一方、操作ボタン３２１が押し操作されることで、係止爪３２全体が回転支点部３２２を回転支点にして回転し、爪部３２３が突起３１１，３１１間から退避する（支持杆部２１の移動を許容する）ようになっている。
【００２９】
本実施形態に係るブーツ収納用具１の構成については以上の通りであり、次に、本実施形態に係るブーツ収納用具１の作用について説明する。
【００３０】
まず、操作ボタン３２１が押し操作されることで、回転支点部３２２が回動し、爪部３２３が複数の突起３１１，・・・の間に嵌入している状態から外れる。これにより、支持杆部２１は、胴部１１に固定されている状態から解除され、軸心方向に移動可能になる。
【００３１】
支持杆部２１は、靴受部２２を把持されて上方に引き出されることで胴部１１に収納されている状態から引き出される。靴受部２２は、支持杆部２１の引き出しに合わせて、胴部１１の上端から離間する。そして、靴受部２２は、収納されるブーツのブーツシャフトの長さに合わせて胴部１１の上端から離間されることで、位置を決定される。靴受部２２の位置が決定された状態で、操作ボタン３２１の押し上げが解除されることで、弾性体３２４の弾性力により回転支点部３２２が回動し、爪部３２３が複数の突起３１１，・・・の間に嵌入する。これにより、支持杆部２１が胴部１１に再び固定され、靴受部２２は、決定された位置に固定される。
【００３２】
片足分の一方のブーツは、このように決定された位置にある靴受部２２へのブーツシャフトの差し込みによりブーツ収納用具１に収納される。その後、片足分の他方のブーツは、２つの脚部１２，１２の間につま先を差し込まれることで、ブーツ収納用具１に収納される。このようにして、一足のブーツは、ブーツ収納用具１により、上下に配置されて収納される。
【００３３】
一方、収納されているブーツがブーツ収納用具１から取り外され、ブーツ収納用具１のみを収納する際には、操作ボタン３２１が押し操作されることで回転支点部３２２が回動し、爪部３２３が複数の突起３１１，・・・の間に嵌入している状態から外れる。これにより、支持杆部２１は、胴部１１に固定されている状態から解除され、軸心方向に移動可能になる。
【００３４】
支持杆部２１は、靴受部２２を把持されて下方に押し込まれることで、胴部１１に収容される。そして、靴受部２２の下端が胴部１１の上端に当接するまで押し込まれることで、広範囲を占有することなく保管可能な状態になる。
【００３５】
以上のように、本実施形態に係るブーツ収納用具１に関し、上端及び下端を有する本体１０であって、下端にブーツのつま先を配置するために所定の間隔を空けて配置される２つの脚部１２，１２を有する本体１０と、該本体１０に支持される支持杆部２１及び該支持杆部２１の上端に取り付けられ本体１０の上方に配置される靴受部２２を有する昇降部材２０であって、支持杆部２１の軸心方向に移動可能に設けられた昇降部材２０とを備えることを特徴とする。
【００３６】
かかる構成によれば、ブーツ収納用具１がブーツを収納するに際し、昇降部材２０は、ブーツシャフトの長さに合わせ、支持杆部２１の軸心方向に移動される。これにより、靴受部２２は、本体１０の上方で、支持杆部２１の軸心方向に移動され、ブーツシャフトの長さに応じた位置に配置可能になる。靴受部２２がブーツシャフトの長さに応じた位置に配置された上で、片方分の一方のブーツのブーツシャフトが支持杆部２１に差し込まれ、靴受部２２が片方分の一方のブーツの中底に当たることで、片方分の一方のブーツは靴受部２２に支持される。片方分の他方のブーツは、つま先を２つの脚部１２，１２の間に配置されることでブーツ収納用具１に収納される。これにより、ブーツが上下に置かれるので省スペース化を図ることができ、さらには、昇降部材２０を支持杆部２１の軸心方向に移動させるだけでブーツシャフトの位置に合わせて靴受部２２の位置を決めることができるので、複数の部品を保管する必要がない。
一方、ブーツ収納用具１から一足のブーツが取り外された後は、支持杆部２１を移動することで靴受部２２を本体１０に接近させることができる。これにより、ブーツが取り外された後もブーツ収納用具１の省スペース化を図ることができる。
【００３７】
また、本実施形態に係るブーツ収納用具１の一態様として、本体１０に対して昇降部材２０の昇降を規制する位置決め機構３０をさらに備えてもよい。
【００３８】
かかる構成によれば、位置決め機構が昇降部材の昇降を規制するので、ブーツシャフトの位置に合わせて決められた靴受部２２の位置を維持することができる。これにより、靴受部２２は、昇降部材２０の移動によって決められた位置でブーツを支持することができる。また、ブーツを取り出した後には、靴受部２２を本体１０に接近させた状態で維持することができる。
【００３９】
また、本実施形態に係るブーツ収納用具１の他態様として、位置決め機構３０は、支持杆部２１に設けられ、支持杆部２１の軸心方向に沿って配置される係止部３１と、本体１０に設けられ、支持杆部２１の軸心方向に対して交差する方向に移動可能な係止爪３２とを有してもよい。
【００４０】
かかる構成によれば、係止爪３２が支持杆部２１の軸心方向に対して離間する方向に移動することで、係止爪３２は係止部３１との係止から解除される。これにより、支持杆部２１は、軸心方向に沿って移動可能になる。一方、係止爪３２が係止部３１に接近する方向に移動して係止部３１を係止することで、支持杆部２１は、軸心方向に沿う移動を規制される。これにより、位置決め機構３０は、靴受部２２の移動を可能にするとともに、決められた靴受部２２の位置を維持することができる。
【００４１】
また、本実施形態に係るブーツ収納用具１の他態様として、靴受部２２は、薬剤を収納可能な収納部２３を有してもよい。
【００４２】
かかる構成によれば、収納部２３に薬剤が収納されていることから、靴受部２２がブーツを収納することで、ブーツ内の中底近傍に薬剤が存在することになる。これにより、ブーツ内に薬剤の効果を与えることができる。
【００４３】
なお、本発明に係るブーツ収納用具は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４４】
例えば、上記実施形態に係るブーツ収納用具１は、図４及び図５に示すように、係止部３１及び係止爪３２を有する位置決め機構３０に限らず、例えば、位置決め機構３０は、支持杆部２１の外周に設けられる雄ネジ３３と、胴部１１の上下方向に沿って設けられる雌ネジであって、雄ネジ３３に螺合される雌ネジ（図示しない）とで構成されてもよい。位置決め機構３０をこのような構成にすることでも、雄ネジ３３の回動により靴受部２２は、ブーツシャフトの長さに合わせて胴部１１の上端から離間可能になるとともに、決定された位置に維持され得る。具体的には、靴受部２２が把持され、支持杆部２１が胴部１１に対して軸心周りに回動されることで、支持杆部２１は、胴部１１から露出する長さを変更される。これにより、靴受部２２は、胴部１１の上端に対して接離可能となり、ブーツシャフトの長さに合わせて決定される位置に位置されることで、一足のブーツを収納することが可能となる。
【００４５】
また、上記実施形態に係るブーツ収納用具１は、係止部３１及び係止爪３２を有する位置決め機構３０に限らず、例えば、位置決め機構３０は、胴部１１の外周から支持杆部２１まで貫通する雌ネジと、胴部１１の外周から雌ネジに螺合されて支持杆部２１の表面に当接可能な雄ネジとで構成されてもよい。このような構成にすることで、雄ネジを回転させることで緩め、支持杆部２１の表面から離間することで胴部１１及び支持杆部２１の固定を解除することができ、支持杆部２１を軸心方向に移動自在にすることができる。そして、靴受部２２が決定された位置に移動されて、雄ネジが締められることで、胴部１１及び支持杆部２１を固定して、靴受部２２に一方のブーツを収納することが可能になる。
【００４６】
また、上記実施形態に係るブーツ収納用具１では、支持杆部２１を胴部１１に収納する形態が説明されたが、これに限定されず、支持杆部２１が胴部１１の外周に取り付けられるような構成であってもよい。
【００４７】
また、上記実施形態に係るブーツ収納用具１では、係止部３１を支持杆部２１の表面から突出する複数の突起３１１，・・・として説明したが、係止部３１は、支持杆部２１に設けられ、支持杆部２１の軸心方向に沿って並設される複数の溝であって、それぞれが支持杆部２１の表面から陥没する複数の溝であってもよい。
【００４８】
また、上記実施形態に係るブーツ収納用具１では、支持杆部２１及び靴受部２２を別体として説明したが、これに限らず、支持杆部２１及び靴受部２２が一体として構成されてもよい。例えば、昇降部材２０は、靴受部２２の機能を有する支持杆部２１で構成されていてもよい。
【００４９】
また、上記実施形態に係るブーツ収納用具１において、ブーツは、雨具用の長靴を含むことはもちろんである。
【符号の説明】
【００５０】
１      ブーツ収納用具
１０    本体
１１    胴部
１２    脚部
２０    昇降部材
２１    支持杆部
２２    靴受部
２３    収納部
３０    位置決め機構
３１    係止部
３２    係止爪
３３    雄ネジ
３１１  突起
３２１  操作ボタン
３２２  回転支点部
３２３  爪部
３２４  弾性体
【図１】
0005993888.tif 000002
【図２】
0005993888.tif 000003
【図３】
0005993888.tif 000004
【図４】
0005993888.tif 000005
【図５】
0005993888.tif 000006